(57)【要約】【課題】召し合せ框を伝ってくる雨水に対して、経年変化を生じることなく長期にわたって室内への侵入を防ぐことが可能な、外部開口用サッシの障子における召し合せ框の水切り構造を提供する。【解決手段】外部開口用サッシに用いられる、引き違いサッシの外障子、片引きサッシの片引き障子又は引き分けサッシの引き分け障子の召し合せ框における水切り構造であって、該召し合せ框６ａの室内面４０ａの下部に、この室内面４０ａを流下する雨水の水切りのための水切り孔４４又は水切り溝を設ける。【選択図】図３
2006233430.tif 000002
【特許請求の範囲】
【請求項１】
外部開口用サッシに用いられる、引き違いサッシの外障子、片引きサッシの片引き障子又は引き分けサッシの引き分け障子の召し合せ框における水切り構造であって、
該召し合せ框の室内面の下部に、この室内面を流下する雨水の水切りのための水切り孔又は水切り溝を設けた、
ことを特徴とする外部開口用サッシの障子における召し合せ框の水切り構造。
【請求項２】
前記召し合せ框の底部には、前記水切り孔又は水切り溝から召し合せ框内部に流入した雨水を排出するための孔が形成された、請求項１記載の外部開口用サッシの障子における召し合せ框の水切り構造。
【請求項３】
前記召し合せ框の室内面には、煙返しが設けられると共に、この煙返しよりも召し合せ框の外縁側に、室内側に向って条状に突出する突出片が設けられ、
該突出片を挟んだ内外は等圧空間とされ、この突出片を超えて侵入した雨水は、煙返しと突出片によって囲まれた前記召し合せ框の室内面部分を流下する構成とされ、
この室内面部分の下部に前記水切り孔又は水切り溝が形成された、請求項１又は２記載の外部開口用サッシの障子における召し合せ框の水切り構造。
【発明の詳細な説明】
【技術分野】
【０００１】
本発明は、外部開口用サッシの障子における召し合せ框の水切り構造に関し、詳しくは、引き違いサッシ（引き違い障子）の外障子、片引きサッシの片引き障子、又は引き分けサッシの引き分け障子における召し合せ框の水切り構造に関するものである。
【背景技術】
【０００２】
従来より、引き違い障子の内障子の召し合せ框の室外面を伝わって、内障子の召し合せ框の室外面と外障子の召し合せ框の室内面との間から侵入しようとする雨水に対しては、一般的に、内障子の召し合せ框の室外面と外障子の召し合せ框の室内面との間に竪タイト材を取付けて、この竪タイト材によりこれらの間を密接して気密性や水密性を確保し、雨水の室内への侵入を防いでいる（例えば、特許文献１参照）。
【特許文献１】特開２０００−８７２９号公報
【発明の開示】
【発明が解決しようとする課題】
【０００３】
しかしながら、引き違い障子の開閉等により竪タイト材にへたりが生じてしまうため、この経年変化により、引き違い障子の内障子の召し合せ框の室外面を伝わって室内に侵入しようとする雨水を十分に止水できない虞が生じてしまう。そして、長期にわたって止水性を確保するためには、竪タイト材を頻繁に交換する必要があった。
【０００４】
そこで、本発明の主たる課題は、召し合せ框を伝ってくる雨水に対して、経年変化を生じることなく長期にわたって室内への侵入を防ぐことが可能な、外部開口用サッシの障子における召し合せ框の水切り構造を提供することにある。
【課題を解決するための手段】
【０００５】
上記課題を解決した本発明は、次のとおりである。
＜請求項１記載の発明＞
請求項１記載の発明は、外部開口用サッシに用いられる、引き違いサッシの外障子、片引きサッシの片引き障子又は引き分けサッシの引き分け障子の召し合せ框における水切り構造であって、該召し合せ框の室内面の下部に、この室内面を流下する雨水の水切りのための水切り孔又は水切り溝を設けた、ことを特徴とする外部開口用サッシの障子における召し合せ框の水切り構造である。
【０００６】
（作用効果）
召し合せ框の室内面の下部に水切り孔又は水切り溝を設けることにより、この室内面を流下する雨水の水切りができ、室内への雨水の侵入を確実に防ぐことができる。
【０００７】
＜請求項２記載の発明＞
請求項２記載の発明は、前記召し合せ框の底部には、前記水切り孔又は水切り溝から召し合せ框内部に流入した雨水を排出するための孔が形成された、請求項１記載の外部開口用サッシの障子における召し合せ框の水切り構造である。
【０００８】
（作用効果）
召し合せ框の底部に孔が形成されていることにより、水切り孔又は水切り溝から召し合せ框内部に流入した雨水を下枠に排出することができ、室内への雨水の侵入を確実に防ぐことができる。
【０００９】
＜請求項３記載の発明＞
請求項３記載の発明は、前記召し合せ框の室内面には、煙返しが設けられると共に、この煙返しよりも召し合せ框の外縁側に、室内側に向って条状に突出する突出片が設けられ、該突出片を挟んだ内外は等圧空間とされ、この突出片を超えて侵入した雨水は、煙返しと突出片によって囲まれた前記召し合せ框の室内面部分を流下する構成とされ、この室内面部分の下部に前記水切り孔又は水切り溝が形成された、請求項１又は２記載の外部開口用サッシの障子における召し合せ框の水切り構造である。
【００１０】
（作用効果）
室内側に侵入しようとする雨水の大部分が突出片に衝突して侵入（運動）エネルギーを失い、この突出片を超えて侵入したとしても、突出片を挟んだ内外は等圧空間とされていることにより、多くは煙返しと突出片によって囲まれた召し合せ框の室内面部分を流下するが、特に、風圧がある場合には、室内外の圧力差により室内側が負圧になると、召し合せ框の室内面部を流下する雨水は、室内面部分の下部で室内側に引き込まれるように壁面移動をするようになる。そこで、この室内面部分の下部に水切り孔又は水切り溝が形成することにより、室内面部を流下する雨水を室内面部分の下部で召し合せ框内部に流入させ雨水を下枠に排出してしまうため、雨水の壁面移動を遮断することができ、効率よく止水を行うことができる。
【発明の効果】
【００１１】
本発明によれば、召し合せ框を伝ってくる雨水に対して、経年変化を生じることなく長期にわたって室内への侵入を防ぐことができる等の利点がもたらされる。
【発明を実施するための最良の形態】
【００１２】
以下、本発明の実施の形態を説明する。
図１は外部開口用サッシにおける引き違いサッシ（引き違い障子）の横断面図であり、図２は同縦断面図である。この外部開口用サッシの窓枠２６は、上枠４、下枠３、及び左右の竪枠５ａ，５ｂを四周枠組みして構成されており、このサッシ枠内に外障子１と内障子２を引き違い状に備えている。外障子１は、上框９ａ、下框８ａ、戸先框７ａ、及び召し合せ框６ａを四周框組みした内部にガラスパネル２７を嵌め込んで形成してある。内障子２も同じように、上框９ｂ、下框８ｂ、戸先框７ｂ、及び召し合せ框６ｂを四周框組みした内部にガラスパネル２７を嵌め込んで形成してある。そして、内外障子１，２は、召し合せ框６ａ，６ｂ間に設けたクレセント（図示省略）により施錠されるものである。
【００１３】
上枠４は、図２に示すように、下面２８と、室内側垂下片２９と、その室外側に位置する中間垂下片３０とで、内障子２の上端部を嵌挿して走行自在とする内障子走行溝３１を形成してあり、中間垂下片３０の室外側に間隔をおいて配置した室外側垂下片３２を、外障子１の上端係合部としている。室内側垂下片２９の下部室外側面には、左右方向に上枠タイト材ホルダー３３ｂを設けてあり、そこに室内側上枠タイト材３４ｂを取付けてある。この室内側上枠タイト材３４ｂは、内障子上框９ｂ室内側面に当接する。中間垂下片３０の下部室外側面には、左右方向に上枠タイト材ホルダー３３ａを設けてあり、そこに室外側上枠タイト材３４ａを取付けてある。この室外側上枠タイト材３４ａは、外障子上框９ａ室内側面に当接するものである。
【００１４】
下枠３は、図２に示すように、室外側の外側基板１２と、外側基板１２よりも室内側上方に位置する内側基板１３とを階段状に設けてあり、外側基板１２には外障子走行レール３５を設け、内側基板１３の室内外方向略中央部に内障子走行レール１４を設けてある。室内側端部に位置する起立壁３６の上端部室外側面には、サッシ枠長手方向（左右方向）に下枠タイト材ホルダー１８ｂを形成してあり、そのタイト材ホルダー１８ｂの、図２に示す閉鎖状態の内障子２の室内側面と対向する範囲に、室内側下枠タイト材１７ｂを取付けている。この室内側下枠タイト材１７ｂは、内障子下框８ｂの室内側面に当接する。内側基板１３の室外側端面にも、左右方向に下枠タイト材ホルダー１８ａを設けてあり、そのタイト材ホルダー１８ａの、図１に示すように閉鎖状態の外障子１の室内側面と対向する範囲に、室外側下枠タイト材１７ａを取付けている。この室外側下枠タイト材１７ａは、外障子下框８ａの室内側面に当接するものである。なお、内側基板１３の、左右方向略中央部における内障子走行レール１４の室外側には、図１に示すように、水抜き用切り欠き１５を形成してある。
【００１５】
内障子２の召し合せ框６ｂの室外面４０ｂと外障子１の召し合せ框６ａの室内面４０ａとの間には、内外障子１，２を閉じた状態で内障子２の召し合せ框６ｂと外障子１の召し合せ框６ａとが噛み合い、外部からの風圧に耐えうるように、それぞれ煙返し４１ａ、４１ｂが設けられている。このうち、内障子２の召し合せ框６ｂの室外面４０ｂには、内外障子１，２が閉じた状態で、内障子２の召し合せ框６ｂの室外面４０ｂと外障子１の召し合せ框６ａの室内面４０ａとの間を気密にするための竪タイト材１０が縦方向にかけて取付けられている。この竪タイト材１０は、内障子２の召し合せ框６ｂの室外面４０ｂと外障子１の召し合せ框６ａの室内面４０ａとの間を密接して気密性や水密性を確保し、内障子２の召し合せ框６ｂ及び外障子１の召し合せ框６ａに吹き付けられた雨水の室内への侵入を防ぐものである。なお、この竪タイト材１０を外障子１の召し合せ框６ａの室内面４０ａに設けてもよい。
【００１６】
外障子１の召し合せ框６ａの室内面４０ａには、突出片４２が室内側に向って条状に突出するように、煙返し４１ａよりも召し合せ框６ａの外縁側に設けられており、この突出片４２によって、内外障子１，２を閉じた状態で、内障子２の召し合せ框６ｂの室外面４０ｂと外障子１の召し合せ框６ａの室内面４０ａとの間の隙間を覆うようにしている。すなわち、突出片４２が内障子２の召し合せ框６ｂの室外面４０ｂに向って突出することにより、バール等が差し込まれる隙間をなくしており、防犯性を向上させていると共に、内障子２の召し合せ框６ｂの室外面４０ｂと外障子１の召し合せ框６ａの室内面４０ａとの間に吹き付ける雨水等の室内への侵入を防止するじゃま板として機能し、止水性を高めている。この突出片４２の内外は、竪タイト材１０による気密性や水密性により、内外障子１，２を閉じた状態では等圧空間となっている。
【００１７】
図３に示す引き違い障子の実施例に基づき、本発明に係る召し合せ框の水切り構造について説明する。なお、図３は外障子１の召し合せ框６ａの室内面４０ａを見た斜視図である。
前述したように、内障子２の召し合せ框６ｂの室外面４０ｂと外障子１の召し合せ框６ａの室内面４０ａとの間における突出片４２の内外は、内外障子１，２を閉じた状態では等圧空間となっている。そのため、この突出片４２を超えて、この等圧空間内に雨水が入ってきても、外障子１の召し合せ框６ａの室内面４０ａの表面等を伝って下方に流下していくが、この召し合せ框６ａには、室内面４０ａにおける突出片４２と煙返し４１ａとによって囲まれた部分（雨水流下部４３）を流下する雨水を確実に排出するための水切り孔４４が形成されている。召し合せ框６ａの底部には、排水のための孔（図示せず）が形成されており、雨水流下部４３を流下した雨水は、水切り孔４４を介して、召し合せ框６ａの内部に入り、召し合せ框６ａの底部に形成された孔を介して下枠３の外側基板１２へ排出されるものである。この水切り孔４４は、雨水流下部４３の下部、具体的には、煙返し４１ａの下端に位置するように形成されており、雨水流下部４３を流下した雨水をこの水切り孔４４で水を切ることにより、室内側への壁面移動を遮断するため、竪タイト材１０での止水負担を軽減し、室内への雨水の侵入を確実に防いでいる。なお、水切り孔４４は孔形状となっているが、この形状に限定されることなく、例えば、図示はしないが、煙返し４１ａの下端から外障子１の召し合せ框６ａの室内面４０ａの下端まで切欠いて、水切り溝にしてもよい。
【００１８】
なお、本発明に係る召し合せ框の水切り構造は、引き違い障子に限らず、図示はしないが、片引きサッシの片引き障子又は引き分けサッシの引き分け障子の召し合せ框にも適用できる。    
【図面の簡単な説明】
【００１９】
【図１】外部開口用サッシにおける引き違い障子の横断面図である。
【図２】その縦断面図である。
【図３】外障子の召し合せ框の室内面を見た斜視図である。
【符号の説明】
【００２０】
１…外障子、２…内障子、３…下枠、４…上枠、５ａ，５ｂ…竪枠、６ａ，６ｂ…召し合せ框、７ａ，７ｂ…戸先框、８ａ，８ｂ…下框、９ａ，９ｂ…上框、１０…竪タイト材、１２…外側基板、１３…内側基板、１４…内障子走行レール、１５…水抜き用切り欠き、１６…、１７ａ，１７ｂ…下枠タイト材、１８ａ，１８ｂ…下枠タイト材ホルダー、２６…窓枠、２７…ガラスパネル、２８…下面、２９…室内側垂下片、３０…中間垂下片、３１…内障子走行溝、３２…室外側垂下片、３３ａ，３３ｂ…上枠タイト材ホルダー、３４ａ，３４ｂ…室外側上枠タイト材、３５…外障子走行レール、３６…起立壁、４０ａ…室内面、４０ｂ…室外面、４１ａ、４１ｂ…煙返し、４２…突出片、４３…雨水流下部、４４…水切り孔。
【図１】
2006233430.tif 000003
【図２】
2006233430.tif 000004
【図３】
2006233430.tif 000005